(57)【要約】  本発明は、フラッシュライトモジュール（１）であって、光軸（ＯＡ）に沿ってフラッシュライトビームを発光する少なくとも可視フラッシュライト発光器（１０）と、前記光軸（ＯＡ）に垂直な第２の距離（Ｄ２）に配置された非可視光を発光する少なくとも１つの付加的発光器（２０）とを担うハウジング（３０）であって、前記付加的発光器（２０）の位置と方位、及び少なくとも前記第２の距離（Ｄ２）が適切に適合され、前記付加的発光器が非可視光発光方向（ＩＲＤ）に沿って非可視光（２２）を発光できるようにするため、前記ハウジング（３０）は好適に成形され、前記付加的発光器は、非可視光のための対応する受光器を有する外部電子装置と遠隔通信、好ましくはリモートコントロールするように構成され、本発明はさらに、フラッシュライトモジュール（１）を有する移動装置（１００）と、移動装置（１００）を動作させる方法とを記載する。
2020501446.tif 000002
【特許請求の範囲】
【請求項１】
フラッシュライトモジュールであって、
光軸に沿ってフラッシュライトビームを発光する少なくとも可視フラッシュライト発光器と、前記光軸に垂直な第２の距離に配置された非可視光を発光する少なくとも１つの付加的発光器とを担うハウジングと、
前記付加的発光器の位置と方位、及び衣少なくとも前記第２の距離が適切に適合され、前記付加的発光器が非可視光発光方向に沿って非可視光を発光できるようにするため、前記ハウジングは好適に成形され、
前記付加的発光器は、検査目的に適した環境に非可視光を発光するように構成され、または非可視光のための対応する受光器を有する外部電子装置と遠隔通信、好ましくはリモートコントロールするように構成され、
前記フラッシュライトモジュールは、さらに、前記フラッシュライト発光器の前に配置され、前記可視フラッシュライト発光器から発光されたフラッシュライトビームを成形するフラッシュライトレンズを有し、
前記付加的発光器と前記フラッシュライトレンズとは、非可視光発光方向と前記光軸との間の発光角度αで、前記フラッシュライトレンズを介して前記付加的発光器が非可視光を発光できるようにするために、構成されている、
フラッシュライトモジュール。
【請求項２】
前記少なくとも１つの付加的発光器は赤外線発光器であり、非可視光は赤外線であり、非可視光発光方向は赤外線発光方向である、または前記少なくとも１つの付加的発光器は紫外線発光器であり、非可視光は紫外線であり、非可視光発光方向は紫外線発光方向である、
請求項１に記載のフラッシュライトモジュール。
【請求項３】
前記フラッシュライトレンズは前記フラッシュライト発光器の前に第１の距離に、好ましくは０．３ｍｍ±０．１５ｍｍの距離に配置される、
請求項１または２に記載のフラッシュライトモジュール。
【請求項４】
前記非可視光発光方向と前記光軸との間の発光角度αは、３０ｏないし８０ｏ，の範囲にあり、好ましくは５０ｏないし７０ｏの範囲にあり、より好ましくは約６０ｏである、
請求項１に記載のフラッシュライトモジュール。
【請求項５】
前記付加的発光器は、非可視光発光方向に、環境に対して、少なくとも１０ｍＷ／ｓｒの放射強度の非可視光を発光するように構成される、
請求項１に記載のフラッシュライトモジュール。
【請求項６】
前記第２の距離は約０．９ｍｍである、
請求項１ないし５いずれか一項に記載のフラッシュライトモジュール。
【請求項７】
前記フラッシュライトモジュールは、各々が前記可視フラッシュライト発光器の周りに第２の距離に配置された複数の付加的発光器を有し、前記第２の距離は付加的発光器が異なれば、同じでも異なっていてもよい、
請求項１ないし６いずれか一項に記載のフラッシュライトモジュール。
【請求項８】
少なくとも前記フラッシュライト発光器と前記付加的発光器とを担う前記ハウジングは、単一ピースハウジングであり、好ましくは、前記ハウジングは前記フラッシュライトレンズも担っている、
請求項１ないし７いずれか一項に記載のフラッシュライトモジュール。
【請求項９】
前記ハウジングは、さらに、前記フラッシュライト発光器および／または前記少なくとも１つの付加的発光器の高速スイッチングを可能にする電子回路を有する、
請求項８に記載のフラッシュライトモジュール。
【請求項１０】
前記ハウジングは、少なくとも２つの別個のキャビティを有し、前記フラッシュライト発光器は第１のキャビティ内に配置され、前記付加的発光器は第２のキャビティ内に配置され、前記第１のキャビティと前記第２のキャビティとの間の分離壁は、前記フラッシュライト発光器から前記付加的発光器へ光が直接通過するのを防止し、その逆も同様である、
請求項８または９に記載のフラッシュライトモジュール。
【請求項１１】
請求項１に記載のフラッシュライトモジュールを有する移動装置であって、前記移動装置を検査装置として、または非可視光のための対応する受光器を有する外部電子装置の遠隔通信装置として機能できるようにするために非可視光発光方向に非可視光を発光する、移動装置。
【請求項１２】
前記移動装置は、上側と下側とを含む好ましい保持方位を規定するように構成され、
表示領域が移動装置の前側に配置され、フラッシュライトモジュールが移動装置の後側に配置され、前記移動装置の保持者から見た、好ましい保持方位における前記移動装置の上側が前方向を規定し、前記フラッシュライトモジュールは非可視光を、前方内に非可視光発光方向として発光するように構成され、
請求項１１に記載の移動装置。
【請求項１３】
前記フラッシュライトモジュールの付加的発光器を制御して、移動装置が遠隔通信装置として機能することを可能にするように構成されたアプリケーションが前記移動装置にインストールされた、
請求項１１または１２に記載の移動装置。
【請求項１４】
前記移動装置はスマートフォン、タブレットＰＣ、パーソナルデジタルアシスタントまたはデジタルカメラである、
請求項１１ないし１３いずれか一項に記載の移動装置。
【請求項１５】
移動装置を動作させる方法であって、該移動装置は、非可視光のための対応する受光器を有する外部電子装置の遠隔通信装置として機能するように非可視光発光方向に非可視光を発光する、請求項１に記載のフラッシュライトモジュールを有し、
移動装置にインストールされたアプリケーションを実行し、フラッシュライトモジュールの付加的発光器を制御して、移動装置が遠隔通信装置として機能することを可能にするステップと、
前記移動装置を、上側と下側とを含む好ましい保持方位に保持するステップであって、
表示領域が移動装置の前側に配置され、フラッシュライトモジュールが移動装置の後側に配置され、前記移動装置の保持者から見た、好ましい保持方位における前記移動装置の上側が前方向を規定し、前記フラッシュライトモジュールは非可視光を、前方内に非可視光発光方向として発光するように構成される、ステップと、
外部電子装置の１つに向けて前方向に前記移動装置を向けるステップと、
アプリケーションと、付加的発光器から発光された非可視光とを介して、遠隔位置から外部電子装置と通信するステップとを有する、
方法。
【発明の詳細な説明】
【技術分野】
【０００１】
本発明は、遠隔通信機能を有するフラッシュライトモジュールに関する。本発明は更に、そのようなフラッシュライトモジュールを含む移動装置と、外部電子装置と遠隔通信するためにこの移動装置を動作させる方法とに関する。
【背景技術】
【０００２】
電子装置は、リモートコントロールを介して遠隔位置から制御することができる。例えば、リビングルームには、多数の異なる電子装置があるため、本装置を同時に制御するために多数の異なるリモートコントロールを使用しなければならず、これはユーザにとって面倒なことである。リモートコントロールは、一般的には、その電子装置の対応する赤外線レシーバに赤外線信号を送り、その動作を制御する赤外線発光モジュールを含む。
【０００３】
各装置コントロールについて複雑な学習を避けるために、少なくともより少数の装置、好ましくは１つの装置を使用して、遠隔地から本電子装置を制御することが望ましい。必要なリモートコントロールの数を減らし、使いやすい装置を利用するために、スマートフォンをＩＲリモートコントロールとして利用することができる。特許文献１は、スマートフォンが、外部ポートを介してスマートフォンに接続されたリモートコントロールとして、赤外線発光モジュールを有する付加コンバータを備え、接続されたリモートコントロールを動作させるために、スマートフォンにリモートコントロールアプリケーションをインストールするソリューションを記載している。
【０００４】
特許文献２は、赤外線発光ダイオードと可視発光電球とを備えたリモートコントロール装置とフラッシュライトとの組み合わせを開示している。赤外線発光ダイオードおよび可視発光電球は、透明シールドの後ろの唯一の開口に配置されてもよい。
【０００５】
しかし、ユーザができるだけ簡単に扱えるようにするため、単一装置のいかなる変更、例えば外部アダプタモジュールへの接続、を必要とせずに、他の電子装置との遠隔通信のために単一装置を使用することが望ましい。
【先行技術文献】
【特許文献】
【０００６】
【特許文献１】米国特許出願公開第２０１３／０２２５６４５Ａ１号
【特許文献２】米国特許第６９０９  ８４９Ｂ１
【発明の概要】
【０００７】
本発明の目的は、ユーザの操作を可能な限り容易にするために、一装置を変更せずに、他の電子装置と遠隔通信する一装置を提供することである。
【０００８】
本発明は独立請求項に記載されている。従属請求項は有利な実施形態を記載している。
【０００９】
第１の態様によれば、フラッシュライトモジュールが提供される。該フラッシュライトモジュールは、光軸に沿ってフラッシュライトビームを発光する少なくとも可視フラッシュライト発光器と、前記光軸に垂直な第２の距離に配置された非可視光を発光する少なくとも１つの付加的発光器とを担うハウジングであって、前記付加的発光器の位置と方位、及び衣少なくとも前記第２の距離が適切に適合され、前記付加的発光器が非可視光発光方向に沿って非可視光を発光できるようにするため、前記ハウジングは好適に成形され、前記付加的発光器は、検査目的に適した環境に非可視光を発光するように構成され、または非可視光のための対応する受光器を有する外部電子装置と遠隔通信、好ましくはリモートコントロールするように構成される、ハウジングを有する。
【００１０】
フラッシュライトモジュールは、スマートフォン、タブレットＰＣ、パーソナルデジタルアシスタントなどの他の機能に加えて、カメラ機能を提供するデジタルカメラやその他のモバイル機器などのいくつかの異なる機器に搭載される。本発明によれば、少なくとも１つの付加的発光器は、フラッシュと共に、従来の遠隔通信モジュールとして、例えば、外部装置のためのリモートコントロールとして、またはデータまたは制御信号を外部装置に転送するその他の通信目的のために、使用される。「環境に対して発光される（ｅｍｉｔｔｅｄ  ｔｏ  ｔｈｅ  ｅｎｖｉｒｏｎｍｅｎｔ）」という用語は、光が、最後の光学素子としてフラッシュライトレンズを通過することを意味し、ここで、フラッシュライトレンズは、フラッシュライトモジュールが内蔵される装置により担持されてもよく、またはハウジング自身によって担持されてもよい。
【００１１】
フラッシュライトモジュールは、前記少なくとも１つの付加的発光器は赤外線発光器であり、非可視光は赤外線であり、非可視光発光方向は赤外線発光方向である、または前記少なくとも１つの付加的発光器は紫外線発光器であり、非可視光は紫外線であり、非可視光発光方向は紫外線発光方向であるように設けられてもよい。
【００１２】
特許請求に係るフラッシュライトモジュールは、スマートフォンまたはタブレットなどの移動装置における、例えば赤外線（ＩＲ）または紫外線（ＵＶ）発光器システムのような付加的発光器システムのいかなる重複も回避する。カメラフラッシュに使用される移動装置の開口部は、通信目的、例えば、典型的には赤外線光を使用するリモートコントロールとして、付加的発光器に同時に再利用される。特許請求に係るアセンブリは、遠隔通信（制御）機能を提供するための付加的なハードウェア構成要素として付加的発光器のみを必要とし、一方、フラッシュライトモジュールのハウジング及びフラッシュライトモジュールの光学レンズもまた、発光された非可視光のために使用され、その結果、組立が容易となり、二重機能ソリューションの全体的に必要なフットプリントが低減される。通信目的の他に、付加的非可視発光器は、例えば偽造検出器に必要な、例えば近距離照明のような検査目的、又は他のＵＶ又はＩＲ変換インク又はフィーチャを可視化するために使用することができる。
【００１３】
フラッシュライトモジュールは、カメラおよびフラッシュライトレンズをすでに搭載している装置内に配置されてもよい。この場合、フラッシュライト発光器からの可視光および付加的発光器からの非可視光を、フラッシュライトレンズを通して発光するため、フラッシュライトモジュールは、フラッシュライトレンズの後ろの位置に好適に配置される。あるいは、フラッシュライトモジュールは、フラッシュライトモジュール自体が、フラッシュライトレンズがフラッシュライト発光器の前の第１の距離に配置され可視フラッシュライト発光器から発光されたフラッシュライトビームを成形するように設けられ、光軸はフラッシュライトレンズの光軸であり、フラッシュライトレンズの位置および方位（ｏｒｉｅｎｔａｔｉｏｎ）も、付加的発光器がフラッシュライトレンズの光軸からはずれた非可視発光方向にフラッシュライトレンズを通して非可視光を発光するように、好適に適合されている。フラッシュライトモジュールは、第１の距離が典型的に０．３ｍｍ±０．１５ｍｍとなるように設けることができる。
【００１４】
フラッシュライトモジュールは、フラッシュライトレンズが、フラッシュライトレンズの光軸に平行な方向に見たとき、フラッシュライト発光器及び付加的発光器をカバーするのに十分な横方向のサイズを有するように設けることができる。十分に大きいレンズは、フラッシュライトモジュール内の付加的発光器のフレキシブルな位置決めを可能にし、ここで、非可視光は、なんらかの困難または付加的に必要とされる光学系なしに、フラッシュライトレンズを通して発光され得る。カメラ・フラッシュ・アプリケーションでは、フラッシュライトレンズの横方向のサイズは、概して、フラッシュライト発光器、例えばＬＥＤ光源より２ないし３倍大きく、カメラフラッシュの可視光を写真が撮影されるシーンにコリメート（ｃｏｌｌｉｍａｔｅ）できるようにする。フラッシュライトモジュールは、フラッシュライトレンズがフレネルレンズであるように提供されてもよい。
【００１５】
フラッシュライトモジュールは、フラッシュライトモジュールと、少なくとも付加的発光器（およびフラッシュライトモジュールがフラッシュライトレンズを含む場合はフラッシュライトレンズ）が、非可視光発光方向と光軸との間の平均発光角度αが３０°ないし８０°で、好ましくは５０°ないし７０°で、より好ましくは約６０°で（フラッシュライトレンズを通過した後に）環境に非可視光を発光するように適切に配置されるように提供されてもよい。非可視光の発光角度は、フラッシュライトモジュールがインストールされている装置の制御を同時に可能にしながら、非可視光ビームによって遠隔位置から電子装置に通信するために、非可視光を電子装置に確実に向ける（ｄｉｒｅｃｔ）ことを可能にする。発光された光は見えないので、通信中にフラッシュライトモジュールを搭載する装置の方位を制御する表示ソリューションは適用できない。従って、非可視光ビームを電子装置に向けるユーザは、非可視光の意図された方向に顔を向け、フラッシュライトモジュールの方向を適宜調整しなければならない。従って、フラッシュライトモジュールを搭載する装置は、見る方向をブロックしてはならない。指定された発光角度はこの目的に役立つ。平均発光角度は、一定の発光円錐内のフラッシュライトレンズから環境に発光される非可視光の平均角度である。
【００１６】
フラッシュライトモジュールは、付加的発光器が、少なくとも１０ｍＷ／ｓｒの発光強度の非可視光を非可視発光方向の環境に提供するように適合されるように提供されてもよい。付加的発光器は、フラッシュライトレンズから非可視光発光方向に少なくとも１ｍＷのパワーを有する非可視光を提供するように構成されてもよい。一般に、非可視光ビームは、異なる発光角度の間隔と、発光角度にわたる強度変化とを含む一定の光円錐で伝搬し、ここで、ＦＷＨＭ強度は、２０°の範囲の発光角度の間隔にわたって分布する。約１ｍＷ／ｓｒは、約６ｍの距離で電子装置と通信することが必要であり、約６ｍの距離では約２ｍＷ／ｓｒのパワーが好ましい。制御されることが意図されていない電子装置、例えば隣家の電子装置を制御することを避けるため、距離をもっと大きくすることは望ましくない。一般的なフラッシュライトレンズを通る光軸の外側に配置された発光器からの非可視光は、典型的には、そのパワーの５％を、平均発光角度によって定まるターゲット領域に導く（ｄｉｒｅｃｔ）。６ｍの距離における２ｍＷの目標出力パワーは、例えば、遠隔制御プロトコルパルス条件において合計５０ｍＷのピーク出力パワーを供給するいわゆる８ｍｉｌ  ＩＲチップによって容易に実現することができる。
【００１７】
フラッシュライトモジュールは、所望の方向に必要なパワーを供給するために、第２の距離が約０．９ｍｍになるように設けることができる。一般に、一定の値と組み合わせた「約」という用語は、その一定の値の周りを含む区間を示し、一定の調整偏差をもカバーする±３０％を意味する。
【００１８】
フラッシュライトモジュールは、フラッシュライト発光器（ｆｌａｓｈ  ｌｉｇｈｔ  ｅｍｉｔｔｅｒ）が矩形発光領域を備え、第２の距離がｘ方向の矩形発光領域の中心までの距離を示し、付加的発光器が、ｘ方向から矩形発光領域の中心に対して、好ましくは±２０°より大きくなく、例えば１８°のシフト角度βによってさらにシフトされるように設けることができる。角度βは、フラッシュライトモジュールの設計と移動装置からの好ましい発光方向との間の最良の妥協である。
【００１９】
フラッシュライトモジュールは、フラッシュライト発光器が、好ましくは矩形の発光領域内に好適な構成で配置されたＬＥＤのアレイを含むように提供されてもよい。ＬＥＤは、制御が容易な小さな光源である。このような発光器（ｅｍｉｔｔｅｒｓ）のアレイは、より強い強度および／またはより広い発光角度を有するフラッシュライトビームを提供する。
【００２０】
フラッシュライトモジュールは、フラッシュライトモジュールがそれぞれ第２の距離で可視フラッシュライト発光器の周囲に配置された複数の付加的発光器を備え、第２の距離は異なる付加的発光器に対して等しいかまたは異なるように提供されてもよい。一実施形態では、すべての付加的発光器の第２の距離は異なる。別の実施形態では、複数の付加的発光器のいくつかの付加的発光器について、第２の距離は等しく、他の第２の距離は異なる。別の実施形態では、すべての第２の距離は等しい。これらの実施形態はすべて、フラッシュライトモジュールを搭載する装置を異なる方位（ｏｒｉｅｎｔａｔｉｏｎｓ）で保持することを可能にし、フラッシュライトモジュールを搭載する装置の方位とは独立に、外部電子装置との通信を可能にする。これは、複数の付加的発光器の少なくとも１つが、外部電子装置に向かってその非可視光を発光するからである（例えば、外部装置をリモートコントロールする）。
【００２１】
フラッシュライトモジュールは、少なくともフラッシュライト発光器および付加的発光器を担持するハウジングが単一ピースのハウジングであり、好ましくはハウジングがフラッシュライトレンズも担持するように設けられてもよい。このようなフラッシュライトモジュールは、フラッシュライトモジュールを担持する装置に容易に配布およびインストールすることができる。従って、製造プロセスはより効果的になる。
【００２２】
フラッシュライトモジュールは、ハウジングが、さらに、前記フラッシュライト発光器および／または前記少なくとも１つの付加的発光器の高速スイッチングを可能にする電子回路を有する、ように設けることができる。これにより、リモートコントロールのための付加的ＩＲ発光器の典型的には３６ｋＨｚパルスを実現することができるが、より一般的には、フラッシュライト発光器および／または付加的発光器に対する高速制御により、ユーザの操作が改善され、例えば、フラッシュライトを使い、例えば同じドライバで外部装置と通信する両方の機能を同時に実行することができる。
【００２３】
フラッシュライトモジュールは、前記ハウジングは、少なくとも２つの別個のキャビティを有し、前記フラッシュライト発光器は第１のキャビティ内に配置され、前記付加的発光器は第２のキャビティ内に配置され、前記第１のキャビティと前記第２のキャビティとの間の分離壁は、前記フラッシュライト発光器から前記付加的発光器へ光が直接通過するのを防止し、その逆も同様であるように設けることができる。
【００２４】
本発明の第２の態様によれば、移動装置が提供される。該移動装置は、本発明の第１の態様によるフラッシュライトモジュールを有し、前記移動装置を検査装置として、または非可視光のための対応する受光器を有する外部電子装置の遠隔通信装置として機能できるようにするために非可視光発光方向に非可視光を発光する。通信は、外部装置を遠隔制御するために、または他の目的のためのデータまたは信号を外部装置に転送するために行われてもよい。通信目的の他に、付加的非可視発光器は、例えば偽造検出器に必要な、例えば近距離照明のような検査目的、又は他のＵＶ又はＩＲ変換インク又はフィーチャを可視化するために使用することができる。
【００２５】
スマートフォンおよび他の携帯電子装置のような移動装置は、一般に、カメラおよびカメラフラッシュ照明システムを含む。非可視照明システムは、フラッシュと組み合わせて使用することができ、じれったい事前フラッシュ（ｉｒｒｉｔａｔｉｎｇ  ｐｒｅ−ｆｌａｓｈ）を使わずに低光強度焦点（ｌｏｗ  ｌｉｇｈｔ  ｆｏｃｕｓ）を可能にする。カメラフラッシュに関連付けられた付加的発光器は、赤外線を発光する場合、移動装置が従来のＩＲリモートコントロールとして使用されるオプションをさらに提供する。移動装置におけるこのような発光器システムの重複は回避される。カメラフラッシュに使用される移動装置の開口部は、付加的発光器にも再利用され、その結果、組立が容易となり、デュアル・ファンクション・ソリューションに必要な全体的なフットプリントが低減される。
【００２６】
遠隔通信や制御機能を提供するために、移動装置に付加的外部装置を付加する必要はない。単一のモバイル装置を他の電子装置の遠隔通信装置として使用することができ、モバイル装置の改造を必要とせずに、ユーザの操作を可能な限り容易にする。
【００２７】
移動装置は、上側と下側とを有する好ましい保持方向を画定するように配置されてもよく、表示領域が移動装置の前側に配置され、フラッシュライトモジュールが移動装置の後側に配置され、移動装置の保持者から見た好ましい保持方位の移動装置の上側が前方向を規定し、フラッシュライトモジュールが非可視光を前方向に非可視光の発光方向として発光するように構成される。
【００２８】
付加的発光器から発光される光は見えないので、フラッシュライトモジュールを搭載する装置の方位を制御する表示ソリューションは適用できない。従って、ユーザは、従来の専用リモートコントロール装置を使用する場合と同様に、移動装置の上側を通って外部装置を視覚的にターゲットする場合に、非可視光ビームを電子装置に向かって前方向に向ける。この場合、移動装置及びユーザは、見る方向を遮断せず、不注意で見えないビームを遮断する可能性を低減する。
【００２９】
移動装置は、アプリケーションがフラッシュライトモジュールの付加的発光器を制御するように構成された移動装置にインストールされ、例えば、リモートコントロールなどの遠隔通信装置として機能する移動装置を可能にするように提供されてもよい。実行されたアプリケーションによるフラッシュライトモジュールの制御は容易でユーザフレンドリーである。フラッシュライトモジュールおよび付加的発光器は、アプリケーションによる制御を可能にするように適切に配線される。従って、移動装置は、アプリケーションを実行し、外部電子装置と通信するために必要な遠隔通信信号を発光するために、対応する制御信号を接続されたフラッシュライトモジュールおよび接続された付加的発光器に送信するプロセッサを含む。
【００３０】
移動装置は、移動装置がスマートフォン、タブレットＰＣ、パーソナルデジタルアシスタントまたはデジタルカメラであるように設けられてもよい。これらの移動装置はすべてカメラ機能を備え、本発明によって請求されるフラッシュライトモジュールを備えることができる。
【００３１】
本発明の第３の態様によると、非可視光を非可視光の発光方向に発光し、非可視光に対応する受光器を備える外部電子装置のための遠隔通信装置として機能する、本発明の第１の態様に係るフラッシュライトモジュールを備える移動装置を動作させる方法が提供される。この方法は次のステップを有する：移動装置にインストールされたアプリケーションを実行し、フラッシュライトモジュールの付加的発光器を制御して、移動装置が遠隔通信装置として機能することを可能にするステップと、前記移動装置を、上側と下側とを含む好ましい保持方位に保持するステップであって、表示領域が移動装置の前側に配置され、フラッシュライトモジュールが移動装置の後側に配置され、前記移動装置の保持者から見た、好ましい保持方位における前記移動装置の上側が前方向を規定し、前記フラッシュライトモジュールは非可視光を、前方内に非可視光発光方向として発光するように構成される、ステップと、外部電子装置の１つに向けて前方向に前記移動装置を向けるステップと、アプリケーションと、付加的発光器から発光された非可視光とを介して、遠隔位置から外部電子装置と通信するステップとを有する。遠隔通信は、外部電子装置を遠隔制御するために行うことができる。
【００３２】
言うまでもなく、本発明の好ましい実施形態は、従属項の、各独立項との任意の組合せであり得る。
【００３３】
さらに別の有利な実施形態は以下に記載する。
【図面の簡単な説明】
【００３４】
本発明の上記の態様その他を、以下に説明する実施形態を参照して明らかにし、説明する。
【００３５】
添付した図面を参照して実施形態に基づき例により本発明を説明する。
【００３６】
図中、
【図１】本発明によるフラッシュライトモジュールの一実施形態の主要構成要素の主要概略図を側面図に示す。
【図２】本発明によるフラッシュライトモジュールの一実施形態の主要概略図を、（ａ）上面図及び（ｂ）側面図に示す。
【図３】本発明による移動装置の一実施形態の主要概略図を、（ａ）上面図及び（ｂ）背面図に示す。
【図４】リモートコントロールとして機能する本発明による移動装置の他の実施形態の主要概略図を示す。
【図５】本発明による移動装置を動作させる方法の一実施形態の主要概略図を示す。
【図６】本発明によるフラッシュライトモジュールにおけるフラッシュライトおよび付加的な発光器の構成の異なる実施形態（ａ）ないし（ｅ）の主要な概略図を示す。  図中、同じ数字は同じオブジェクトを指す。図中のオブジェクトは必ずしもスケール通りに描いたものではない。
【発明を実施するための形態】
【００３７】
ここで本発明の様々な実施形態を図により説明する。
【００３８】
図１は、本発明によるフラッシュライトモジュール１の一実施形態の主要構成要素の主要概略図を側面図に示す。フラッシュライトモジュール１は、フラッシュライト発光器１０の前にあるフラッシュライトレンズ１２に対して第１の距離Ｄ１で配置された可視フラッシュライト発光器１０を備え、フラッシュライトレンズ１２は、可視フラッシュライト発光器１０から発光されるフラッシュライトビーム１３を整形する。フラッシュライトレンズ１２は、フレネルレンズであってもよい。フラッシュライトレンズ１２は、フラッシュライトモジュール１の一部であってもよく、またはフラッシュライトモジュール１を担う任意の装置の別個の構成要素であってもよい。この構成は、一般的なフラッシュライトモジュールに対応する。
【００３９】
本発明によれば、フラッシュライトモジュール１は、フラッシュライトレンズ１２の光軸ＯＡに垂直な第２の距離Ｄ２に配置された付加的発光器２０、ここでは赤外線発光器２０をさらに含み、赤外線発光器２０の位置および方向ならびに第１および第２の距離Ｄ１、Ｄ２が好適に適合される。ここで、第１の距離Ｄ１は約０．３ｍｍであり、第２の距離Ｄ２は約０．９ｍｍである。この実施形態では、フラッシュライトレンズ１２は、フラッシュライトレンズ１２の光軸ＯＡに平行な方向に見た場合に、フラッシュライト発光器１０及び赤外線発光器２０をカバーするのに十分な横方向のサイズ１２Ｌを有する。光軸ＯＡは、フラッシュライトレンズ１２の外面に垂直であり、フラッシュライトレンズ１２の中心を通る。
【００４０】
更に、少なくともフラッシュライト発光器１０、フラッシュライトレンズ１２及び赤外線発光器２０を担うハウジング３０（図２に図示せず）は、赤外線発光器２０がフラッシュライトレンズ１２を通して赤外線光２２をフラッシュライトレンズ１２の光軸ＯＡから逸脱する赤外線発光方向ＩＲＤに発光できるようにするため、好適な形状を有し、赤外線発光器２０は、対応する赤外線受光器を含むリモートコントロールするのに適した赤外線２２を発光するように構成される。ここで、赤外線２２は、フラッシュライトレンズ１２から、赤外線発光方向ＩＲＤと光軸ＯＡとの間の発光角度αで、−３０°ないし８０°、好ましくは５０°ないし７０°、より好ましくは約６０°で発光される。
【００４１】
ここに示されていない他の実施形態では、付加的な発光器２０は、例えば偽造検出器に必要な近距離照明として、または他のＵＶまたはＩＲ変換インクまたは特徴を可視化するなどの検査目的のために、赤外線またはＵＶ光として非可視光２２を環境に対し発光する。
【００４２】
図２は、本発明によるフラッシュライトモジュールの一実施形態の主要概略図を、ｘ方向と示された方向に図２ａの垂直カットとして、（ａ）上面図及び（ｂ）側面図に示す。この実施形態では、フラッシュライトモジュール１は、フラッシュライト発光器１０、フラッシュライトレンズ１２および赤外線発光器２０を担持するハウジング３０を備える。この実施形態では、ハウジングは、構成要素が追加される単一ピースのハウジング３０である。ハウジング３０は、２つの別個のキャビティ３１、３２を備え、ここで、フラッシュライト発光器１０は、第１のキャビティ３１内に構成され、赤外線発光器２０は、第２のキャビティ３２内に構成され、第１のキャビティ３１と第２のキャビティ３２との間の分離壁３３は、フラッシュライト発光器１０から赤外線発光器２０へ光が直接通過するのを防止し、その逆も同様である。ここで、キャビティ３１、３２は、異なる深さを有し、第２のキャビティ３２は、フラッシュライト発光器１０と比較してより大きな高さを有する赤外線発光器２０を保持するために、より大きな深さを有する。他の実施形態では、キャビティの深さは、赤外線発光器２０および／またはフラッシュライトレンズ１２からの赤外線の好ましい出射角度を最適化するために等しいかまたは逆転（ｉｎｖｅｒｔ）されてもよい。ここでのキャビティは異なる形状であり、第１のキャビティ３１はより大きな横方向のサイズを有するが、これは第２のキャビティ３２が、キャビティ３１、３２の各々の底部に構成された発光器１０、２０のサイズに適合されるからである。他の実施形態では、キャビティ３１、３２は、等しい横方向のサイズを有してもよい。各発光器とその対応するドライバとの間の電子的接続は、ここでは詳細に示されていない。当業者は、ハウジングを介して適切な接続を提供して、発光器１０、２０を接続することができる。
【００４３】
本実施の形態では、フラッシュライト発光器１０は矩形発光領域１０Ａを備え、第２の距離Ｄ２は、ｘ方向に矩形発光領域１０Ａの中心１０Ｃまでの距離を示し、赤外線発光器２０は、ｘ方向から矩形発光領域１０Ａの中心１０Ｃに対して、シフト角度β（この場合、１８°）によってさらにシフトされる。フラッシュライト発光器１０は、矩形発光領域１０ＡとしてＬＥＤのアレイを含んでもよい。この実施形態では、フラッシュライトモジュール１は、さらに、フラッシュライト発光器および／または少なくとも１つの付加的発光器２０の高速スイッチングを可能にする、（破線によって示される）発光器１０、２０に接続された電子機器４を含む。
【００４４】
図３は、本発明による移動装置１００の一実施形態の主要概略図を、（ａ）上面図及び（ｂ）背面図に示す。移動装置１００は、本発明の第１の態様によるフラッシュライトモジュール１（図３ｂの破線領域）を備え、移動装置１００が、例えば、検査装置として、または非可視光のための対応する受光器を備える外部電子装置５のリモートコントロール装置として機能できるようにするため、非可視光２２（例えば、赤外線またはＵＶ光）を非可視光発光方向ＩＲＤに発光する。フラッシュライトモジュール１は、カメラ１８０の横に配置される。移動装置は、上側１１０及び下側１２０、並びに前側１４０及び前側に対向する後側１５０を備える。前面図を図３ａに示し、表示領域１３０が移動装置１００の前側１４０に配置されている。中実の正方形によって示されるアプリケーション１６０は、移動装置１００に取り付けられ、フラッシュライトモジュール１の付加的発光器２０を制御して、移動装置１００がリモートコントロールとして機能することを可能にするように構成される。
【００４５】
後面を図３ｂに示したが、フラッシュライトモジュール１が移動装置１００の後面１５０上に配置されている。移動装置１００の保持者１７０から見た好ましい保持方位ＨＯは、破線矢印によって示され、ここで、上側１１０は移動装置の上側端部であり、下側１２０は下側端部である。
【００４６】
図３ａおよび３ｂに示した移動装置１００は、スマートフォンまたはタブレットＰＣまたはパーソナルデジタルアシスタントまたはデジタルカメラであってもよい。
【００４７】
赤外線を発光するリモートコントロールとして機能する本発明による移動装置１００の他の実施形態の主要概略図を示す。ここで、移動装置１００は、上側１１０が上に、下側１２０が下に、好ましい保持方位ＨＯ（破線の矢印によって示される）に配置される。遠隔位置ＲＬで移動装置１００の保持者（ｈｏｌｄｅｒ）１７０から見た好適な保持方位ＨＯの上側１２０は、視線をさらに外挿したとき、前方向ＦＤを規定する（破線ＦＤを参照）。この位置では、赤外線２２は、移動装置１００のフラッシュライトモジュール１から発光される赤外線２２を受光する、対応する赤外線受光器５１を含む外部電子装置５に向かう赤外線発光方向ＩＲＤとして、前方向ＦＤに発光される。ここで、フラッシュライトレンズ１２および付加的発光器２０は、フラッシュライトレンズ１２から赤外発光方向ＩＲＤに約２０ｍＷ／ｓｒの赤外線パワーを提供するように構成される。モバイル装置１００にインストールされたアプリケーション１６０を実行して、フラッシュライトモジュール１の赤外線発光器２０を制御し、モバイル装置１００を外部電子装置５に向かって前方向ＦＤに向けると、保持者１７０によって遠隔位置ＲＬから制御することができる。
【００４８】
図５は、非可視光２２を非可視光発光方向ＩＲＤに発光するフラッシュライトモジュール１を備え、非可視光２２の対応する受光器を備えた外部電子装置５のための遠隔通信装置として機能する、本発明による移動装置１００を動作させる方法２００の一実施形態の主要な概略図を示す。
【００４９】
方法２００は次のステップを有する：移動装置１００にインストールされたアプリケーション１６０を実行し２１０、フラッシュライトモジュール１の付加的発光器２０を制御して、移動装置１００が遠隔通信装置として機能することを可能にするステップと、上側１１０と下側１２０の好ましい保持方位で、移動装置１００を保持するステップであって、表示領域１３０が移動装置１００の前側１４０に配置され、フラッシュライトモジュール１が移動装置１００の後側１５０に配置され、移動装置１００の保持者１７０から見た、好ましい保持方位ＨＯにおける移動装置１００の上側１１０が前方向ＦＤを規定し、フラッシュライトモジュール１は非可視光２２を、前方ＦＤ内に非可視光発光方向ＩＲＤとして発光するように構成され、外部電子装置５の１つに向けて、移動装置１００を前方向ＦＤに向けるステップ２３０と、アプリケーション１６０と、付加的発光器２０から発光された非可視光２２とを介して、遠隔位置ＲＬから外部電子装置５と通信するステップ２４０。
【００５０】
図６は、本発明によるフラッシュライトモジュール１におけるフラッシュライトおよび付加的発光器１０、２０の構成の異なる実施形態（ａ）ないし（ｅ）の主要な概略図を示す。実施形態（ａ）において、フラッシュライトモジュール１は、フラッシュライト発光器１０（最終的には、光源例えばＬＥＤのアレイを含む）の他に、フラッシュライト発光器１０に対して第２の距離Ｄ２に配置された１つの付加的発光器２０のみを備える。実施形態（ｂ）において、フラッシュライトモジュール１は、フラッシュライト発光器１０（最終的には、光源例えばＬＥＤのアレイを含む）の他に、フラッシュライト発光器のコーナーに近い領域に、フラッシュライト発光器１０に対して第２の距離Ｄ２に配置された２つの付加的発光器２０を備える。実施形態（ｃ）において、フラッシュライトモジュール１は、フラッシュライト発光器１０（最終的には、光源例えばＬＥＤのアレイを含む）の他に、フラッシュライト発光器１０に対して第２の距離Ｄ２に、フラッシュライト発光器の対向する側に配置された、２つの付加的発光器１０を備える。実施形態（ｄ）において、フラッシュライトモジュール１は、フラッシュライト発光器１０（最終的には、光源例えばＬＥＤのアレイを含む）の他に、フラッシュライト発光器１０に対して第２の距離Ｄ２に、フラッシュライト発光器の隣接する側に配置された、２つの付加的発光器１０を備える。実施形態（ｅ）において、フラッシュライトモジュール１は、フラッシュライト発光器１０（最終的には、光源例えばＬＥＤのアレイを含む）のほかに、両方ともフラッシュライト発光器１０のコア近くの領域に、フラッシュライト発光器１０に対して第２の距離Ｄ２に配置された２つの付加的発光器２０を備え、ここで、付加的発光器２０（例えば、左側の白い正方形２０）のものは赤外線発光器２０であり、他の付加的発光器２０（例えば、右側に黒い正方形２０）はＵＶライト発光器２０である。図示しない他の実施形態では、フラッシュライトモジュール１の内側に、フラッシュライト発光器１０の周りに、例えば等距離に、３つ以上の付加的発光器２０があってもよく、１つ、２つまたはそれ以上の付加的発光器２０が、フラッシュライト発光器１０の各側にあってもよい。これらの付加的発光器は、発光スペクトルの同一または異なる非可視範囲内で、非可視光を発光することができる。図６において、異なる付加的発光器２０の第２の距離Ｄ２は、等しいものとして示した。他の実施形態（ここでは図示せず）では、第２の距離Ｄ２は、付加的発光器２０が異なれば異なってもよい。
【００５１】
図面と上記の説明に詳しく示し本発明を説明したが、かかる例示と説明は例であり限定ではない。
【００５２】
本開示を読めば、当業者にはその他の修正が明らかとなろう。かかる修正は、本技術分野ですでに知られ、本明細書で説明した特徴の替わりに又はそれに加えて使用され得る他の特徴を含んでもよい。
【００５３】
図面、本開示、及び添付した特許請求の範囲を研究して、開示した実施形態のバリエーションを、当業者は理解して実施することができるであろう。請求項において、「有する（ｃｏｍｐｒｉｓｉｎｇ）」という用語は他の要素やステップを排除するものではなく、「１つの（「ａ」又は「ａｎ」）」という表現は複数の要素やステップを排除するものではない。相異なる従属クレームに手段が記載されているからといって、その手段を組み合わせて有利に使用することができないということではない。
【００５４】
請求項に含まれるどの参照符号も、その請求項の範囲を限定するものと解してはならない。
【符号の説明】
【００５５】
１  フラッシュライトモジュール
１０  フラッシュライト発光器
１０Ａ  フラッシュライト発光器の発光領域
１０Ｃ  フラッシュライト発光器の発光領域の中心
１２  フラッシュライトレンズ
１２Ｌ  フラッシュライトレンズの横方向サイズ
１３  フラッシュライトビーム
２０  付加的発光器
２２  非可視光（例えば、赤外線または紫外線）
３０  ハウジング
３１  ハウジングの第１のキャビティ
３２  ハウジングの第２のキャビティ
３３  第１のキャビティと第２のキャビティとの間の隔壁
４  発光器１０、２０の高速スイッチングを可能にする電子回路
５  外部電子装置
５１  非可視光のための外部装置の受光器
１００  移動装置、例えば、スマートフォンやタブレットＰＣ
１１０  移動装置の上側
１２０  移動装置の下側
１３０  移動装置の表示領域
１４０  移動装置の前側
１５０  移動装置の後側
１６０  移動装置にインストールされ、実行されるアプリケーション
１７０  移動装置の保持者
１８０  移動装置のカメラ
２００  移動装置を外部電子装置の遠隔通信装置として動作させる方法
２１０  付加的発光器を制御する、移動装置にインストールされたアプリケーションを実行
２２０  移動装置を好ましい保持方向に保持
２３０  移動装置を外部電子装置の１つに向かう前方向に向ける
２４０  アプリケーションを介して遠隔位置から外部電子装置と通信
α  非可視光発光方向と光軸との間の発光角度
β  付加的発光器の位置のシフト角度
Ｄ１  可視フラッシュライト発光器とフラッシュライトレンズとの間の距離
Ｄ２  フラッシュライトレンズの光軸と付加的発光器との間の距離
ＦＤ  好適な保持方位における移動装置の前方向
ＩＲＤ  非可視光発光方向
ＨＯ  移動装置の好適な保持方位
ＯＡ  フラッシュライトレンズの光軸
ＲＬ  遠隔位置
ｘ  ｘ方向
【図１】
2020501446.tif 000003
【図２（ａ）】
2020501446.tif 000004
【図２（ｂ）】
2020501446.tif 000005
【図３（ａ）】
2020501446.tif 000006
【図３（ｂ）】
2020501446.tif 000007
【図４】
2020501446.tif 000008
【図５】
2020501446.tif 000009
【図６（ａ）】
2020501446.tif 000010
【図６（ｂ）】
2020501446.tif 000011
【図６（ｃ）】
2020501446.tif 000012
【図６（ｄ）】
2020501446.tif 000013
【図６（ｅ）】
2020501446.tif 000014
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
フラッシュライトモジュールであって、
光学素子と、前記光学素子の光軸に沿ってフラッシュライトビームを発光する少なくとも可視フラッシュライト発光器と、非可視光を発光する少なくとも１つの付加的発光器であって、前記非可視光は検査目的に、または前記非可視光のための対応する受光器を有する外部電子装置を制御する、好ましくは遠隔制御する遠隔通信に適している少なくとも１つの付加的発光器とを担うハウジングを有し、
前記光学素子は前記フラッシュライト発光器の前に配置され、前記付加的発光器は前記光軸に垂直に、前記フラッシュライト発光器から第２の距離に配置され、
前記光学素子は、前記可視フラッシュライト発光器から発光されたフラッシュライトビームを成形するように構成されたフラッシュライトレンズであり、
前記付加的発光器と、前記付加的発光器の方位と、前記フラッシュライトレンズと、前記第２の距離とは、前記非可視光が、前記フラッシュライトレンズから環境に、非可視光発光方向に沿って、前記非可視光発光方向と前記光軸との間の平均発光角度で、発光されるように構成され、前記平均発光角度は前記フラッシュライトレンズから前記環境への発光円錐で発光される前記非可視光の平均角度であり、
前記非可視光発光方向と前記光軸との間の発光角度は３０°ないし８０°の範囲にある、
フラッシュライトモジュール。
【請求項２】
前記少なくとも１つの付加的発光器は赤外線発光器であり、非可視光は赤外線であり、非可視光発光方向は赤外線発光方向である、または前記少なくとも１つの付加的発光器は紫外線発光器であり、非可視光は紫外線であり、非可視光発光方向は紫外線発光方向である、
請求項１に記載のフラッシュライトモジュール。
【請求項３】
前記フラッシュライトレンズは前記フラッシュライト発光器の前に第１の距離に、好ましくは０．３ｍｍ±０．１５ｍｍの距離に配置される、
請求項１または２に記載のフラッシュライトモジュール。
【請求項４】
前記非可視光発光方向と前記光軸との間の発光角度は、５０ｏないし７０ｏの範囲にあり、より好ましくは約６０ｏである、
請求項１に記載のフラッシュライトモジュール。
【請求項５】
前記付加的発光器は、非可視光発光方向に、環境に対して、少なくとも１０ｍＷ／ｓｒの放射強度の非可視光を発光するように構成される、
請求項１に記載のフラッシュライトモジュール。
【請求項６】
前記第２の距離は０．９ｍｍである、
請求項１ないし５いずれか一項に記載のフラッシュライトモジュール。
【請求項７】
前記フラッシュライトモジュールは、各々が前記可視フラッシュライト発光器の周りに第２の距離に配置された複数の付加的発光器を有し、前記第２の距離は付加的発光器が異なれば、同じでも異なっていてもよい、
請求項１ないし６いずれか一項に記載のフラッシュライトモジュール。
【請求項８】
少なくとも前記フラッシュライト発光器と前記付加的発光器とを担う前記ハウジングは、単一ピースハウジングであり、好ましくは、前記ハウジングは前記フラッシュライトレンズも担っている、
請求項１ないし７いずれか一項に記載のフラッシュライトモジュール。
【請求項９】
前記ハウジングは、さらに、前記フラッシュライト発光器および／または前記少なくとも１つの付加的発光器のスイッチングを可能にする電子回路を有する、
請求項８に記載のフラッシュライトモジュール。
【請求項１０】
前記ハウジングは、少なくとも２つの別個のキャビティを有し、前記フラッシュライト発光器は第１のキャビティ内に配置され、前記付加的発光器は第２のキャビティ内に配置され、前記第１のキャビティと前記第２のキャビティとの間の分離壁は、前記フラッシュライト発光器から前記付加的発光器へ光が直接通過するのを防止し、その逆も同様である、
請求項８または９に記載のフラッシュライトモジュール。
【請求項１１】
請求項１に記載のフラッシュライトモジュールを有する移動装置であって、前記移動装置を検査装置として、または非可視光のための対応する受光器を有する外部電子装置の遠隔通信装置として機能できるようにするために非可視光発光方向に非可視光を発光する、移動装置。
【請求項１２】
前記移動装置は、上側と下側とを含む好ましい保持方位を規定するように構成され、
表示領域が移動装置の前側に配置され、フラッシュライトモジュールが移動装置の後側に配置され、前記移動装置の保持者から見た、好ましい保持方位における前記移動装置の上側が前方向を規定し、前記フラッシュライトモジュールは非可視光を、前方内に非可視光発光方向として発光するように構成され、
請求項１１に記載の移動装置。
【請求項１３】
前記フラッシュライトモジュールの付加的発光器を制御して、移動装置が遠隔通信装置として機能することを可能にするように構成されたアプリケーションが前記移動装置にインストールされた、
請求項１１または１２に記載の移動装置。
【請求項１４】
前記移動装置はスマートフォン、タブレットＰＣ、パーソナルデジタルアシスタントまたはデジタルカメラである、
請求項１１ないし１３いずれか一項に記載の移動装置。
【請求項１５】
移動装置を動作させる方法であって、該移動装置は、非可視光のための対応する受光器を有する外部電子装置の遠隔通信装置として機能するように非可視光発光方向に非可視光を発光する、請求項１に記載のフラッシュライトモジュールを有し、
移動装置にインストールされたアプリケーションを実行し、フラッシュライトモジュールの付加的発光器を制御して、移動装置が遠隔通信装置として機能することを可能にするステップと、
前記移動装置を、上側と下側とを含む好ましい保持方位に保持するステップであって、
表示領域が移動装置の前側に配置され、フラッシュライトモジュールが移動装置の後側に配置され、前記移動装置の保持者から見た、好ましい保持方位における前記移動装置の上側が前方向を規定し、前記フラッシュライトモジュールは非可視光を、前方内に非可視光発光方向として発光するように構成される、ステップと、
外部電子装置の１つに向けて前方向に前記移動装置を向けるステップと、
アプリケーションと、付加的発光器から発光された非可視光とを介して、遠隔位置から外部電子装置と通信するステップとを有する、
方法。
【国際調査報告】
2020501446.tif 000015
2020501446.tif 000016